(57)【要約】【課題】保護カバーを、バーホルダの保護カバー支持部と、分電盤内に配置されたブレーカの端子部の上端とに架け渡して支持する際など、高さが異なる異種のブレーカとの間でも、各々、バーホルダを水平に支持することができるバーホルダを提供すること。【解決手段】銅バー４の下面の一部を支持するバー支持部５と、前記銅バー４の上面を被覆する保護カバーの下面を支持する保護カバー支持部、または、前記銅バー４間を仕切るバリアホルダ支持部を備えたバーホルダ１であって、複数の銅バー４を支持可能とすべくバー支持部５が複数形成されたバーホルダ本体６に対し、前記銅バー間に配置される支持壁７を着脱自在に備え、該支持壁７の上端部を前記保護カバー支持部、または該支持壁の側端部をバリアホルダ支持部として用い、該バーホルダ本体６に、前記支持壁７の下端位置を保持する支持壁保持部として、第１の保持部９と、前記支持壁７の下端位置を前記第１の保持部９の保持された際とは異なる高さ位置で保持する第２の保持部１０を形成した。【選択図】図４
2015012696.tif 000002
【特許請求の範囲】
【請求項１】
銅バーの下面の一部を支持するバー支持部と、前記銅バーの上面を被覆する保護カバーの下面を支持する保護カバー支持部、または、前記銅バー間を仕切るバリアホルダ支持部を備えたバーホルダであって、
複数の銅バーを支持可能とすべくバー支持部が複数形成されたバーホルダ本体に対し、  前記銅バー間に配置される支持壁を着脱自在に備え、
該支持壁の上端部を前記保護カバー支持部、または該支持壁の側端部をバリアホルダ支持部として用い、
該バーホルダ本体に、前記支持壁の下端位置を保持する支持壁保持部として、
第１の保持部と、前記支持壁の下端位置を前記第１の保持部の保持された際とは異なる高さ位置で保持する第２の保持部を形成したことを特徴とするバーホルダ。
【請求項２】
前記バーホルダ本体の中央寄りに前記第１の保持部を形成し、前記バーホルダ本体の側端寄りに前記第２の保持部を形成するとともに、該第１の保持部に保持された支持壁の下端位置が、該第２の保持部に保持された支持壁の下端位置よりも下方に位置するよう、各保持部を形成したことを特徴とする請求項１記載のバーホルダ。
【請求項３】
前記バー支持部として、前記支持壁を前記第１の保持部に保持させた際に使用する第１のバー支持部と、前記支持壁を前記第２の保持部に保持させた際に使用する第２のバー支持部を有し、
該第２のバー支持部を、該第１のバー支持部よりも、前記バーホルダ本体の側端寄りに配置した
ことを特徴とする請求項１または２記載のバーホルダ。
【請求項４】
前記バー支持部として、前記支持壁を前記第１の保持部に保持させた際、および、前記第２の保持部に保持させた際の、双方で共通に使用する共用のバー支持部を有し、
該共用のバー支持部をバーホルダ本体の中央付近に配置し、その両側に、前記第１のバー支持部を配置したことを特徴とする請求項３記載のバーホルダ。
【発明の詳細な説明】
【技術分野】
【０００１】
本発明は、ブレーカの端子部と接続される銅バーを支持するバーホルダに関するものである。
【背景技術】
【０００２】
分電盤内では、銅バーが幹線や分岐の用途に使用されている。これらの銅バーを分電盤内で支持する手段として、バーホルダを用いる技術が広く採用されている（例えば、特許文献１）。
【０００３】
特許文献１には、バーホルダの構造として、銅バーの下面の一部を支持するバー支持部の他、バーホルダに支持された銅バーの上面を被覆する保護カバーの下面を支持する保護カバー支持部を備える構造が開示されている。
【０００４】
しかし、分電盤内に配置されるブレーカはその容量に応じてサイズが異なり、その端子部の高さおよび端子間の距離が異なるため、特許文献１の図５に記載のように、保護カバーを、バーホルダの保護カバー支持部と、ブレーカの端子部を仕切る隔壁の上端とに架け渡して支持する場合、保護カバーを水平に支持するためには、保護カバー支持部の高さが異なるバーホルダを、ブレーカのサイズに対応させて複数種類準備しておく必要があり、不都合であるという問題があった。また、銅バー間を仕切るバリアホルダを隔壁に支持することもあり、その場合においても、ブレーカのサイズに対応させてバーホルダを用意するのは勿論、バーホルダに対応するバリアホルダを複数用意する必要があった。
【先行技術文献】
【特許文献】
【０００５】
【特許文献１】特開２０１２−１８２９６３号公報
【発明の概要】
【発明が解決しようとする課題】
【０００６】
本発明の目的は前記の問題を解決し、銅バー間に配置される支持壁に保護カバーやバリアホルダを支持する際、サイズが異なる各ブレーカとの間でも同一の部材を使用して支持することができるバーホルダを提供することである。
【課題を解決するための手段】
【０００７】
上記課題を解決するためになされた本発明のバーホルダは、銅バーの下面の一部を支持するバー支持部と、前記銅バーの上面を被覆する保護カバーの下面を支持する保護カバー支持部、または、前記銅バー間を仕切るバリアホルダ支持部を備えたバーホルダであって、複数の銅バーを支持可能とすべくバー支持部が複数形成されたバーホルダ本体に対し、前記銅バー間に配置される支持壁を着脱自在に備え、該支持壁の上端部を前記保護カバー支持部、または該支持壁の側端部をバリアホルダ支持部として用い、該バーホルダ本体に、前記支持壁の下端位置を保持する支持壁保持部として、第１の保持部と、前記支持壁の下端位置を前記第１の保持部の保持された際とは異なる高さ位置で保持する第２の保持部を形成したことを特徴とするものである。
【０００８】
請求項２記載の発明は、請求項１記載のバーホルダにおいて、前記バーホルダ本体の中央寄りに前記第１の保持部を形成し、前記バーホルダ本体の側端寄りに前記第２の保持部を形成するとともに、該第１の保持部に保持された支持壁の下端位置が、該第２の保持部の保持された支持壁の下端位置よりも下方に位置するよう、各保持部を形成したことを特徴とするものである。
【０００９】
請求項３記載の発明は、請求項１または２記載のバーホルダにおいて、前記バー支持部として、前記支持壁を前記第１の保持部に保持させた際に使用する第１のバー支持部と、前記支持壁を前記第２の保持部に保持させた際に使用する第２のバー支持部を有し、該第２のバー支持部を、該第１のバー支持部よりも、前記バーホルダ本体の側端寄りに配置したことを特徴とするものである。
【００１０】
請求項４記載の発明は、請求項３記載のバーホルダにおいて、前記バー支持部として、前記支持壁を前記第１の保持部に保持させた際、および、前記第２の保持部に保持させた際の、双方で共通に使用する共用のバー支持部を有し、該共用のバー支持部をバーホルダ本体の中央付近に配置し、その両側に、前記第１のバー支持部を配置したことを特徴とするものである。
【発明の効果】
【００１１】
複数の銅バーを支持可能とすべくバー支持部が複数形成されたバーホルダ本体に対し、前記銅バー間に配置される支持壁を着脱自在に備え、該支持壁の上端部を前記保護カバー支持部、または該支持壁の側端部をバリアホルダ支持部として用い、該バーホルダ本体に、前記支持壁の下端位置を保持する支持壁保持部として、第１の保持部と、前記支持壁の下端位置を前記第１の保持部の保持された際とは異なる高さ位置で保持する第２の保持部を形成することにより、前記第１の保持部と第２の保持部を使い分けて、支持壁の位置を変えることができる。したがって、本発明によれば、分電盤内に配置されたブレーカの端子部の上端に保護カバーを架け渡して支持する際や、銅バー間を仕切るバリアホルダを支持する際でもサイズが異なる各ブレーカとの間でも同一の部材を使用して支持することができる。
【図面の簡単な説明】
【００１２】
【図１】バーホルダの使用状態を説明する全体斜視図である。
【図２】バーホルダの全体斜視図である。
【図３】バーホルダ本体の全体斜視図である。
【図４】支持壁の取付け位置を変更させたバーホルダの比較図である。
【図５】バーホルダの使用状態を説明する側面図である。
【図６】バーホルダの使用状態を説明する前面図である。
【発明を実施するための形態】
【００１３】
以下に本発明の好ましい実施形態を示す。
図１に示すように、バーホルダ１は、ブレーカ２の端子部３と接続される銅バー４を支持する部材として分電盤内で使用される。分電盤内におけるバーホルダ１の取付け箇所は特に限定されず、例えば、基台上に取付けたり、ブレーカをプラグイン式とする際に使用されるアダプタ上に取付けることができる。バーホルダ１は、絶縁材料の樹脂部材で形成され、ブレーカ２の床面と同一平面上に配置されている。
【００１４】
図１、図２に示すように、バーホルダ１は、銅バーの下面の一部を支持するバー支持部５が複数形成されたバーホルダ本体６と、バー支持部５に支持された複数の銅バー間に配置される支持壁７から構成されている。
【００１５】
バー支持部５は、銅バー４を水平に支持するために、銅バー４の一端が接続されるブレーカ２の端子部３のバー載置面と略同一平面に配置されるように形成されている。
【００１６】
図３に示すように、バーホルダ本体６は、略方形体に形成され、バーホルダ本体６を基板にネジ固定する際に用いる取付孔８が形成されている。
【００１７】
本発明では、支持壁７を、バーホルダ本体６に対し、着脱自在としている。そのための構成として、図３、図４に示すように、バーホルダ本体６には、支持壁７の下部を嵌め込んで保持する支持壁保持部として、第１の保持部９と、第２の保持部１０が形成されている。第２の保持部１０は、支持壁７の下端位置を、第１の保持部９に保持された際よりも高い位置で保持するよう浅めに形成されている。支持壁７は、バーホルダ本体６の裏面側からネジを挿入して固定することができる。
【００１８】
図４及び図６に示すように、バー支持部５は、支持壁７を第１の保持部９に保持させた際に使用する第１のバー支持部１１と、支持壁７を第２の保持部１０に保持させた際に使用する第１のバー支持部１２と、支持壁７を第１の保持部９に保持させた際、および、第２の保持部１０に保持させた際の、双方で共通に使用する共用のバー支持部１３からなる。
【００１９】
バーホルダ本体６は、図３に示すように、中心に対して左右前後対象形状に形成され、共用のバー支持部１３をバーホルダ本体６の中央付近に配置し、その両側に、以下の順に、第１の保持部９〜第２の保持部１０〜第１のバー支持部１１〜取付孔８〜第２の保持部１２が配置されている。
【００２０】
図４及び図５に示すように、銅バー４の上面を被覆する保護カバー１４を、支持壁７の上端部と、ブレーカ２の端子部３の上端に架け渡して支持することができる。本発明では、このように、支持壁７の上端部を前記保護カバー支持部７ａとして用い、かつ、支持壁７を着脱自在に備えているため、ブレーカ２の容量（すなわちサイズ）に応じて、第１の保持部９と第２の保持部１０を使い分けて、保護カバー支持部の位置を変えることができる。
【００２１】
また、図５に示すように、支持壁７の側端部にはバリアホルダ支持部７ｂが形成し、銅バー４間を仕切るバリアホルダ１５が支持することができる。本発明では、上記保護カバー支持部７ａと同様にブレーカ２の容量に応じて第１の保持部９と第２の保持部１０を使い分けて、バリアホルダ１５の形状を変えることなくバリアホルダ１５の位置を変えることができる。
【００２２】
具体的には、図６（ａ）に示すように、大容量タイプのブレーカの場合、すなわち、ブレーカが大型化し、その端子部３を仕切る隔壁８の高さが高くなるとともに端子部３間が広くなり、端子部３と接続される銅バー４の横幅もブレーカ２の容量に応じて太くなる場合には、支持壁７を第２の保持部１０に保持させて使用し、バー支持部として第１のバー支持部１１の外端寄りに形成した第２のバー支持部１２を使用する。一方、図６（ｂ）に示すように、小容量タイプのブレーカの場合、すなわち、ブレーカが小型化し、その端子部３を仕切る隔壁８の高さが低くなるとともに、端子部３と接続される銅バー４の横幅も細くなる場合には、支持壁７を第１の保持部９に保持させて使用し、バー支持部として第２のバー支持部１２の内側寄りの第１のバー支持部１１を使用することができる。なお、本実施形態では第１の保持部９を第２の保持部１０より下方位置で保持するようにするため凹状に形成したものであるが、第２の保持部１０を凸状に形成し、高さを異なるように形成するものであっても良い。
【００２３】
このように、本発明によれば、大容量タイプのブレーカと小容量タイプのブレーカとでバーホルダ本体６、支持壁７からなるバーホルダ１を兼用して、各々、保護カバー１４を水平に支持することやバリアホルダ１５を支持することができると共に、ブレーカ２の容量に応じた銅バー４を接続可能とするため、従来ブレーカの容量ごとに製造されていたバーホルダの種類を半減することができる。なお、支持壁７を上下２分割構造とすれば、バーホルダの種類を１/４に低減することも可能である。なお、支持壁７は、バーホルダ１をブレーカ２に密着させて形成するとき、ブレーカ２の端子部３間の絶縁距離を確保する仕切壁としても使用することも可能となる。
【符号の説明】
【００２４】
１  バーホルダ
２  ブレーカ
３  端子部
４  銅バー
５  バー支持部
６  バーホルダ本体
７  支持壁
７ａ  保護カバー支持部
７ｂ  バリアホルダ支持部
８  取付孔
９  第１の保持部
１０  第２の保持部
１１  第１のバー支持部
１２  第２のバー支持部
１３  共用のバー支持部
１４  保護カバー
１５  バリアホルダ
【図１】
2015012696.tif 000003
【図２】
2015012696.tif 000004
【図３】
2015012696.tif 000005
【図４】
2015012696.tif 000006
【図５】
2015012696.tif 000007
【図６】
2015012696.tif 000008